(57)【要約】      （修正有）【課題】簡単な改良により、メガネを普通に掛けたままで、レンズフレームの中心向きを常に目線方向に合わせて、見ようとするものを正確に見れるメガネを提供する。【解決手段】メガネ１００は、耳かけアーム１０１と鼻掛けアタッチメント１０４付きブリッジ１０３を連結し、ブリッジ１０３の下方に分離したレンズフレーム１０６の中央部に連結フレーム１０６−Ｃを備え、レンズフレーム１０６の両端部とブリッジ１０３の両端部を各々連結アーム１０７で連結し、連結アーム１０７は前端部をレンズフレーム１０６に固定連結し、後端部をブリッジ１０３端部に軸１０８で軸支装着すると共に回動操作ダイヤル１０９及び／又は回動操作アームを設け、回動操作ダイヤル１０９及び／又は回動操作アームは連結アーム１０７を回動操作してレンズフレーム１０６の上下俯仰角度を変え、レンズフレーム１０６の左右を個別に上下俯仰角度を調節可能にした。【選択図】図１
0003232313.tif 000002
【実用新案登録請求の範囲】
【請求項１】
耳かけアーム（テンプルとモダン）（１０１）間を、蝶番（１０５）を介して鼻掛けアタッチメント（パッドクリングス）（１０４）付きブリッジ（１０３）で連結し、前記ブリッジ（１０３）の下方に分離してレンズフレーム（レンズリム）（１０６）を設け、前記レンズフレーム（レンズリム）（１０６）の中央部に連結フレームを設けたメガネ（１００）において、前記レンズフレーム（１０６）の上下俯仰角度を変えるレンズ俯仰角度変更機構を設け、前記レンズ俯仰角度変更機構は、前記レンズフレーム（１０６）の両端部と前記ブリッジ（１０３）の両端部を各々連結アーム（１０７）で連結し、前記連結アーム（１０７）は前端部を前記レンズフレーム（１０６）に固定連結し後端部を前記ブリッジ（１０３）端部に軸（１０８）で軸支装着すると共に回動操作ダイヤル（１０９）及び／又は回動操作アーム（１１０）を設け、回動操作ダイヤル（１０９）及び／又は回動操作アーム（１１０）は前記連結アーム（１０７）を回動操作して前記レンズフレーム（１０６）の上下俯仰角度を変えることを特徴とするメガネ。
【請求項２】
前記前記レンズフレーム（１０６）の前記連結フレームを伸縮フレーム（１０６−ＣＪ）にして左右を個別に上下俯仰角度を調節可能にしたことを特徴とする請求項１に記載のメガネ。
【考案の詳細な説明】
【技術分野】
【０００１】  本考案は、レンズフレームの左右レンズの上下俯仰角度を変えることを可能にしてメガネを普通に掛けたままでレンズフレームの左右レンズの中心向きを常に目線方向に合わせて見ようとするものを正確に見れるメガネに関する。
【背景技術】
【０００２】  メガネは、ほとんど全てのものにおいて、右目・左目の計２枚の凹レンズ・凸レンズで構成されている。近視・遠視・乱視など視力矯正が目的の場合、ほとんど全てのケースで両目とも視力低下をきたしているため、両目ともレンズが必要となるためである。また、着色ガラスなどを使って強い光線から目を保護したりするために用いる保護メガネやサングラスなどにおいても、ほぼ全ての製品が両目を守ることを目的としている。片目だけの使用を想定した単眼鏡も存在するが、視力矯正よりも装飾の意味合いの大きいものである。
【考案の概要】
【０００３】  そこで前記メガネの一般の構成は、耳かけアーム（テンプルとモダン）間に鼻掛けアタッチメント（パッドクリングス）とを中央部に形成したブリッジを蝶番で連結し、前記ブリッジにレンズフレーム（レンズリム）を設けたものである。
この状態のメガネをかけて、ベッドに入り仰向けになり足元側のテレビを見ようとすると、メガネのレンズフレームは天井を向いてしまうため、メガネ全体を下げて鼻掛けアタッチメントを鼻先に載せてレンズフレームをテレビ側に向けるが満足する映像をみることが出来ない。やむをえず枕を高くして映像をみる結果となる。
また遠近メガネの場合上目で或るものを見ようとする場合に目線がレンズフレームの中心から外れ上端になり小さく見えたり、ぼやけたりして不便である。
かといってメガネを普通に鼻にかけたままでレンズフレームのみを見るものに合わせて上下俯仰回動することは構造上不可能である。
【考案が解決しようとする課題】
【０００４】  そこで本考案は、前記従来の構成のメガネに簡単な改良を加えると共にレンズフレームの上下俯仰角度を変えるレンズ俯仰角度変更機構を設けて、メガネを普通に掛けたままでレンズフレームの中心向きを常に目線方向に合わせることを可能にしたメガネを提供する。
【課題を解決するための手段】
【０００５】  上記課題を満足させる本考案における主な技術構成は、次の（１）の通りである。
（１）、耳かけアーム（テンプルとモダン）（１０１）間を、蝶番（１０５）を介して鼻掛けアタッチメント（パッドクリングス）（１０４）付きブリッジ（１０３）で連結し、前記ブリッジ（１０３）の下方に分離してレンズフレーム（レンズリム）（１０６）を設け、前記レンズフレーム（レンズリム）（１０６）の中央部に連結フレームを設けたメガネ（１００）において、前記レンズフレーム（１０６）の上下俯仰角度を変えるレンズ俯仰角度変更機構を設け、前記レンズ俯仰角度変更機構は、前記レンズフレーム（１０６）の両端部と前記ブリッジ（１０３）の両端部を各々連結アーム（１０７）で連結し、前記連結アーム（１０７）は前端部を前記レンズフレーム（１０６）に固定連結し後端部を前記ブリッジ（１０３）端部に軸（１０８）で軸支装着すると共に回動操作ダイヤル（１０９）及び／又は回動操作アーム（１１０）を設け、回動操作ダイヤル（１０９）及び／又は回動操作アーム（１１０）は前記連結アーム（１０７）を回動操作して前記レンズフレーム（１０６）の上下俯仰角度を変えることを特徴とするメガネ。
（２）、前記前記レンズフレーム（１０６）の連結フレームを伸縮フレーム１０６−ＣＪにして前記レンズフレーム（１０６）の左右を個別に上下俯仰角度を調節可能にしたことを特徴とする前記（１）に記載のメガネ。
【考案の効果】
【０００６】  本考案のメガネ１００は、前記ブリッジ１０３の下方に分離してレンズフレーム（レンズリム）１０６を設けると共にレンズフレーム１０６のみの上下俯仰角度を前記レンズ俯仰角度変更機構の前記連結アーム１０７をワンタッチで回動操作して変えるので、メガネ１００のブリッジ１０３を普通に掛けたままで左右のレンズを支持したレンズフレームを同時に又は左右個別にレンズ中心向きを常に目線方向に合わせることを可能にしたのである。
【図面の簡単な説明】
【０００７】
【図１】本考案のメガネの正面向き状態の実施例を示す斜視説明図である。
【図２】図１に示すメガネで連結アームの俯仰回動でレンズフレームを斜下向きの状態にした斜視説明図である。
【図３】図１に示すメガネの変形例であり、レンズフレーム１０６の中央部の連結フレーム１０６−Ｃを蛇腹式の伸縮フレーム１０６−ＣＪにして左右のレンズフレーム１０６がそれぞれ単独で俯仰角度が変更できるようにした状態を示す斜視説明図である。
【図４】図１の円Ａ内部の拡大説明図である。
【図５】図３に示す部分の他の例を示す拡大説明図である。
【考案を実施するための形態】
【０００８】  本考案を実施するための形態を図１〜図５に示す実施例により詳細に説明する。
図１〜図５において、メガネ１００は耳かけアーム（テンプルとモダン）１０１と１０１間をブリッジ１０３で連結し、ブリッジ１０３の中央部に鼻掛けアタッチメント（パッドクリングス）１０４を形成し、耳かけアーム（テンプルとモダン）１０１とブリッジ１０３は蝶番１０５で連結し、前記ブリッジ１０３の下方にレンズフレーム（レンズリム）１０６を分離して設けてある。
レンズフレーム１０６は、中央部に固定用の連結フレーム１０６−Ｃか、１０６−ＣＪを設け、両側部にはレンズフレーム１０６の上下俯仰角度を変えるレンズ俯仰角度変更機構を設けてある。
【０００９】  レンズ俯仰角度変更機構は、前記レンズフレーム１０６の両側部の各々に連結アーム１０７の先部を連結固定し、前記連結アーム１０７の後部を前記蝶番１０５の手前になるブリッジ１０３端部に軸１０８で軸支装着すると共に図４に示すように回動操作ダイヤル１０９又は図５に示すように回動操作ダイヤル１０９と回動操作アーム１１０を設けてある。
回動操作ダイヤル１０９及び又は回動操作アーム１１０は、矢印のように回転させて前記連結アーム１０７を回動操作して前記レンズフレーム１０６の左右全体の上下俯仰角度を変える。
【００１０】  図３に示すメガネ１００は、前記レンズフレーム１０６の左右の上下俯仰角度を個別に変えることを可能にしたもので、レンズフレーム１０６の中央部の連結フレームを金属蛇腹式の或いはゴム、シリコンゴム、ポリオレフィ等の材質で形成した伸縮フレーム１０６−ＣＪにして左右のレンズフレーム１０６がそれぞれ単独でレンズの俯仰角度が変更できるようにした例である。
図３の例は、右のレンズフレーム１０６を下向きにし、左のレンズフレーム１０６を正面向きにした例であり、他の部分は図１〜図２に記載の例と同一のため同一符号を付してある。
【００１１】  これで、メガネ１００はブリッジ１０３を普通に鼻にかけたままで寝ていても上目見でもレンズフレーム１０６のみをその全体を或いは左右個々を前記レンズ俯仰角度変更機構によりワンタッチで上下俯仰回動させてレンズ中央部を目線に向けて無理なく見たいものを正確に見ることができた。
【産業上の利用可能性】
【００１２】  本考案は、前述の優れた作用効果を呈して一般家庭では勿論、メガネ産業に寄与と発展に貢献すること多大なものがある。
【符号の説明】
【００１３】１００：メガネ
１０１：耳かけアーム（テンプルとモダン）
１０３：ブリッジ
１０４：鼻掛けアタッチメント（パッドクリングス）
１０５：蝶番
１０６：レンズフレーム（レンズリム）
１０６−Ｃ：レンズフレームの中央部連結フレーム
１０６−ＣＪ：レンズフレームの中央部連結蛇腹式の伸縮フレーム
１０７：レンズ俯仰角度変更機構の連結アーム
１０８：軸
１０９：回動操作ダイヤル
１１０：回動操作アーム
【図１】
0003232313.tif 000003
【図２】
0003232313.tif 000004
【図３】
0003232313.tif 000005
【図４】
0003232313.tif 000006
【図５】
0003232313.tif 000007